(57)【要約】一例示的通信方法は、選択されたピコセルの通信範囲内にある移動局に対応する位置測定隣接リストを格納するステップを含む。現在の隣接リストを受信するとすぐ、現在の隣接リストが、格納されている位置測定隣接リストに対応するかどうかの判定が行われる。十分な対応がある場合、それは移動局がピコセルの通信範囲内あることを示す。
2010514360.tif 000002
【特許請求の範囲】
【請求項１】
通信方法であって、
選択されたピコセルの通信範囲内にある移動局に対応する位置測定隣接リストを格納するステップと、
現在の隣接リストを受信するステップと、
前記移動局が前記ピコセルの通信範囲内にあることを示すのに十分に前記現在の隣接リストが前記位置測定隣接リストに対応するかどうかを判定するステップと
を含む方法。
【請求項２】
前記選択されたピコセルとの通信リンクを確立するステップと、
前記確立された通信リンクの時間に関連する隣接リストを判定するステップと、
前記位置測定隣接リストを格納するステップと
を含む請求項１に記載の方法。
【請求項３】
前記位置測定隣接リスト内の複数のセルのそれぞれに関連する電力測定値を格納するステップと、
前記現在の隣接リスト内にある前記複数のセルのうちの少なくともいくつかに関連する現在の電力測定値を判定するステップと、
前記現在の電力測定値が前記格納されている電力測定値に対応するかどうかを判定するステップと
を含む請求項１に記載の方法。
【請求項４】
前記現在の隣接リストが前記位置測定隣接リストに十分に対応すると判定することに応答して前記ピコセルのセルコードの測定を行うステップを含む請求項１に記載の方法。
【請求項５】
前記ピコセルを判定するステップと、
前記ピコセルを前記移動局に現在サービスを提供している基地局に報告するステップと、
前記ピコセルを十分に検出することに応答して、現在サービスを提供している基地局から前記ピコセルにハンドオーバするステップと
を含む請求項４に記載の方法。
【請求項６】
前記位置測定隣接リストと前記現在の隣接リストとの間の対応の量を判定するステップと、
前記対応の量が、前記移動局が前記ピコセルの前記通信範囲内あるという表示として、閾値を超えるかどうかを判定するステップと
を含む請求項１に記載の方法。
【請求項７】
前記ピコセルとの新しい通信リンクを確立するとすぐ、前記格納されている判定された隣接リストを更新するステップを備える、請求項１に記載の方法。
【請求項８】
無線通信移動局装置であって、
選択されたピコセルの通信範囲内にある前記移動局に対応する位置測定隣接リストを含むストレージと、
現在の隣接リストを受信するためのトランシーバと、
前記移動局が前記ピコセルの通信範囲内にあることを示すのに十分に前記現在の隣接リストが前記位置測定隣接リストに対応するかどうかを判定するように構成された検出モジュールと
を備える装置。
【請求項９】
前記ストレージが前記位置測定隣接リスト内の複数のセルのそれぞれに関連する電力測定値を含み、
前記検出モジュールが、前記現在の隣接リスト内にある前記複数のセルのうちの少なくともいくつかに関連する現在の電力測定値を判定し、前記現在の電力測定値が前記格納されている電力測定値に対応するかどうかを判定するように構成される、
請求項８に記載の装置。
【請求項１０】
前記現在の隣接リストが前記位置測定隣接リストに十分に対応すると前記検出モジュールが判定することに応答して前記ピコセルのセルコードの測定を行い、
前記位置測定隣接リストと前記現在の隣接リストとの間の対応の量を判定し、
前記対応の量が、前記移動局が前記ピコセルの前記通信範囲内にあることの表示として、閾値を超えるかどうかを判定する
ように構成されたコントローラ
を備える、請求項８に記載の装置。
【発明の詳細な説明】
【技術分野】
【０００１】
本発明は、一般に通信に関する。より詳細には、本発明は、無線通信に関する。
【背景技術】
【０００２】
無線通信システムはよく知られており、広く使用されている。多くのシステムは、無線通信カバレッジが設計される方式のためにセルラシステムと呼ばれる。基地局トランシーバが、基地局を取り囲む全地理的エリアにわたって無線通信カバレッジを提供するように配置される。地理的エリアは通常、セルと呼ばれる。従来の基地局トランシーバは、比較的大きい地理的カバレッジを提供し、対応するセルはマクロセルと呼ばれることができる。
【０００３】
マクロセルの中で、より小さいサイズのセルを設定することが可能である。これらはピコセルと呼ばれることもある。ピコセルを設定するために提案されている１つの方式は、マクロセルのカバレッジ・エリアの中の比較的限られた範囲の中で動作するピコセル基地局ユニットを提供することである。ピコセル基地局ユニットの一例示的使用形態は、例えば、建物の中で無線通信カバレッジを提供することである。
【０００４】
マクロセルの中で複数のピコセルを有する可能性によって様々な難問がもたらされる。例えば、マクロセルと所望のピコセルとの間の正確なハンドオーバを容易にするためにピコセルを識別することができることが必要である。多くのピコセルが急増する可能性があるので、各ピコセルを識別する仕事が非常に大変になる。さらに、可能なハンドオーバのためにピコセルの位置を測定するための何らかの機構がなければならない。
【０００５】
移動局が考慮することができる候補セルを含むユーザ指定の隣接リストを生成することが必要である。既存のマクロセルの他に、例えば、隣接リストの中にユーザのホームまたはワーク・ピコセルを含むことが必要になるであろう。そのようなピコセルを含むユーザごとの一意の隣接リストを生成することも１つの可能性であるが、ネットワーク側には追加のコスト、複雑さ、およびシグナリング・オーバヘッドがあり、これらのためにそのような手法は望ましくなくなる。例えば、１つの無線ネットワーク・コントローラが、１００を超えるマクロセル基地局を制御し、対応するエリアの中に何千ものピコセルがあり得る。個々のモバイルのための一意の隣接リストを提供することは、ネットワークに高い負荷をかけすぎる。
【０００６】
さらに、移動局がホームまたはワーク・ピコセルを連続して探索することは、エネルギーを浪費し、モバイルの電池寿命を縮めるので、望ましくない。さらに、スクランブリング・コードまたはＰＮオフセット再使用の可能性によって、不正確なピコセル識別が生じるであろう。
【発明の概要】
【発明が解決しようとする課題】
【０００７】
マクロセルと所望のピコセルとの間の正確なハンドオーバを容易にするやり方でピコセルを識別するための効率のよい構成が必要である。
【課題を解決するための手段】
【０００８】
一例示的通信方法は、選択されたピコセルの通信範囲内にある移動局に対応する位置測定隣接リストを格納するステップを含む。現在の隣接リストを受信するとすぐ、現在の隣接リストが、格納されている位置測定隣接リストに対応するかどうかの判定が行われる。十分な対応がある場合、それは移動局がピコセルの通信範囲内にあることを示す。
【０００９】
例示的無線通信移動局装置は、選択されたピコセルの通信範囲内にある移動局に対応する位置測定隣接リストを有するストレージを含む。移動局装置は、現在の隣接リストを受信するためのトランシーバを含む。検出モジュールが、現在の隣接リストが位置測定隣接リストに対応するかどうかを判定するように構成される。十分な対応がある場合、それは移動局がピコセルの通信範囲内にあることを示す。
【００１０】
開示された実施例の様々な特徴および利点は、当業者には以下の［発明を実施するための形態］から明らかになるであろう。［発明を実施するための形態］に伴う図面が以下のように簡単に説明されることができる。
【図面の簡単な説明】
【００１１】
【図１】本発明の一実施形態にとって有用な無線通信システムの選択された部分を概略的に示す図である。
【図２】一例示的移動局の選択された部分を概略的に示し、一例示的手法を概略的に示す図である。
【発明を実施するための形態】
【００１２】
図１は、通信システム２０の選択された部分を概略的に示す。基地局２２は、一般に知られているやり方で無線通信を行うための基地局トランシーバユニットおよび適切な無線通信機器を含む。基地局２２は、議論のためにマクロセルと呼ばれる無線通信カバレッジ・エリア２４を設定する。マクロセル２４の地理的領域は、基地局２２の機能および周囲の地形に部分的に依存するであろう。所望のマクロセル・カバレッジ・エリアを設定するための知られている技法がある。
【００１３】
マクロセル２４の中で、ピコセル基地局ユニット（ＰＣＢＳＵ）３０は、ピコセル３２の中で無線通信カバレッジを提供する。図から理解されることができるように、ピコセル３２のカバレッジ・エリアのサイズは、マクロセル２４のそれよりずっと小さい。図は比例していないが、要点はピコセル３２のピコセル・カバレッジ・エリアがマクロセル２４のそれよりずっと小さいことである。一実施例では、ピコセル３２は、ユーザのホームに対応する。
【００１４】
別のＰＣＢＳＵ３４は、ピコセル３６の中で無線カバレッジを提供する。さらに別のＰＣＢＳＵ３８は、ピコセル・カバレッジ・エリア４０を提供する。
【００１５】
マクロセル２４の中の移動局４４は、知られているやり方で基地局２２と通信することによりマクロセルと通信することが可能である。移動局４４が、その移動局がピコセルの中での通信を認可されているピコセル・エリアに入る場合、マクロセル２４から対応するピコセルにハンドオーバすることが望ましい。図示されている実施例では、移動局４４のユーザは、ピコセル３２の中で通信するためにＰＣＢＳＵ３０の通信機能を使用するための権利を有する。
【００１６】
例示的移動局４４は、それがＰＣＢＳＵ３０と通信することができる通信範囲に入った時にピコセル３２を検出し報告する機能を有する。図２は、移動局４４の選択された部分を概略的に示す。メモリまたはストレージ５０は、移動局４４がピコセル３２の通信範囲内にある少なくとも１つの時間に対応する位置測定隣接リスト５２を含む。一実施例では、移動局４４は、移動局４４をＰＣＢＳＵ３０に登録する時から隣接リストを格納する。これは、例えば、ピコセル３２の中でのＰＣＢＳＵのインストール中、または移動局４４の最初の使用中に生じることができる。一実施例では、移動局４４は、ＰＣＢＳＵ３０とアクティブ通信リンクを有する場合、位置測定隣接リスト５２としてその時間に移動局４４にとって利用可能な隣接リストを格納する。
【００１７】
図示されている例示的ストレージ５０はまた、格納されている位置測定隣接リスト５２に関連する時間に移動局４４によって得られた複数の測定値５４を含むことができる。例えば、移動局４４は、位置測定隣接リスト５２の中のマクロセル基地局またはＰＣＢＳＵのうちの少なくともいくつかから複数の測定を行う。
【００１８】
位置測定隣接リスト５２は、少なくとも複数のマクロセル基地局識別子を含むであろう。いくつかの例では、位置測定隣接リスト５２は、適切なら、隣接するピコセルに関連するＰＣＢＳＵを含むであろう。移動局４４は、移動局４４がピコセル３２に隣接するかまたはその中にある時を判定するために、格納されている位置測定隣接リスト５２を使用する。図示されている例は、移動局４４がピコセル３２の通信範囲内にある時を判定するために、格納されている位置測定隣接リスト５２を利用するＰＣＢＳＵ検出モジュール６０を含む。
【００１９】
移動局４４は、サービング・マクロセル基地局２２と通信するトランシーバ部６２を含む。トランシーバ部６２は、例えば、６６で概略的に示されているように、マクロセル無線ネットワーク・コントローラによって提供された現在の隣接リスト６４を受信する。ＰＣＢＳＵ検出モジュール６０は、現在の隣接リスト６４が、格納されている位置測定隣接リスト５２に対応するかどうかを判定する。一実施例では、ＰＣＢＳＵ検出モジュール６０は、現在の隣接リスト６４と位置測定隣接リスト５２との間に完全な一致があるかどうかを判定する。他の例では、ＰＣＢＳＵ検出モジュール６０は、現在の隣接リスト６４と位置測定隣接リスト５２との間の対応の程度を判定することができる。対応の量が閾値を超えている場合は、ＰＣＢＳＵ検出モジュール６０は、現在の隣接リスト６４と位置測定隣接リスト５２との間に移動局４４がピコセル３２の通信範囲の中にある可能性があることを示すのに十分な対応があると判定する。
【００２０】
対応の量は、隣接リスト６４および５２の中の一致するセルコードの割合など、様々な要因に基づいてもよい。隣接リスト６４および５２が同一でない場合にそれらの間の対応の量を判定するための他の例示的技法は、それぞれのリストに関連する移動局４４によって取得された測定値を使用することである。格納されている測定値５４は、現在の隣接リスト６４が位置測定隣接リスト５２に十分に対応するかどうかを判定しようと試みる時に移動局４４によって取得された現在の測定値６８のセットと比較されることができる。一実施例は、少なくとも最低割合の現在の電力測定値が、格納されている測定値５４に対応するかどうかを判定することを含む。測定値の少なくともいくつかの間に十分な対応があり、隣接リスト６４と位置測定隣接リスト５２との間に十分な対応がある場合は、ＰＣＢＳＵ検出モジュール６０は、一実施例では、移動局４４がピコセル３２の通信範囲の中にあると判定する。他の例示的技法は、隣接リスト間の対応または類似を判定するための測定基準として信号タイミング情報を使用することを含む。この説明を与えられれば、当業者はその特定の状況のニーズを満たすための適切な相関技法および適切な閾値を判定することができるであろう。
【００２１】
現在の隣接リストと格納されている位置測定隣接リストとの間の何らかの量の相関を必要とすることを含む一実施例は、隣接リスト間の厳密な一致が必要とされる解決策より優れた利点を提供する。例えば、時の経つにつれてマクロセルラ構成に変化があった場合、それは現在の隣接リストにおける変化を引き起こす可能性があり、その結果、現在の隣接リストは、古い、前に格納された位置測定隣接リストに一致しなくなるであろう。
【００２２】
移動局４４が現在の隣接リスト６４と位置測定隣接リスト５２との間に十分な対応があると判定した後は、移動局４４は、ＰＣＢＳＵ３０セルコード（例えば、ＵＭＴＳスクランブリング・コードまたはＣＤＭＡ  ＰＮオフセットあるいは同等物）の測定を開始する。一実施例では、移動局４４はまた、移動局４４が実際にピコセル３２の近くにあるかどうかを識別するのを支援するために、隣接するＰＣＢＳＵの測定を開始する。
【００２３】
移動局４４は、ＰＣＢＳＵ３０信号を検出すると、７０で概略的に示されているように、ＰＣＢＳＵ３０のセルコードを逆にマクロセル基地局２２に報告する。したがって、ＰＣＢＳＵ３０は、移動局の検出されたセットの一部分として報告される。それに応答して、マクロセル基地局２２に関連する無線ネットワーク・コントローラは、測定されたセットにＰＣＢＳＵ３０を含み、ピコセル３２に関して移動局４４に測定値を要求する。
【００２４】
ピコセル３２からの測定値が、移動局４４がＰＣＢＳＵ３０から十分な信号を取得することを示した後は、無線ネットワーク・コントローラがマクロセル２４からピコセル３２にハンドオーバを開始する。ハンドオーバが成功した後で、移動局４４は、一実施例では、移動局４４がピコセル３２にある間に、格納されている位置測定隣接リスト５２および測定値５４を更新する。位置測定隣接リスト５２および測定値５４を定期的に更新することは、ピコセル３２の近くの周囲のエリアのマクロセルラ構成またはピコセルラ構成に生じた可能性がある変化に適応することを可能にする。この例示的技法は、エリアにおける新しい基地局の追加などのネットワーク変化に適応することを可能にする。
【００２５】
開示された実施例は、移動局が選択されたピコセルの通信範囲に入る時を移動局が判定するための技法を提供する。選択されたピコセルのＰＣＢＳＵを含む修正された隣接リストを必要とする移動局に対応する、それが生じる時を識別する仕事は、移動局に割り当てられる。この分散手法は、ネットワーク側からのいかなる負荷をも軽減し、したがって、専用の隣接リストは、マクロセル・ネットワークの無線ネットワーク・コントローラによって処理される必要がない。その代わりに、移動局４４が現在受信された隣接リストを位置測定隣接リストと相関させようと試みる。移動局４４は、選択されたピコセルの位置測定に成功する確率が高い場合にそのピコセルのＰＣＢＳＵを探索する必要があるだけである。これは、現在の隣接リスト６４と格納されている位置測定隣接リスト５２との間の十分な対応に基づく。特定のＰＣＢＳＵを、それを見つける可能性がある場合にだけ探索することは、移動局の電池電力を節減する。
【００２６】
開示された実施例にとっての１つの利点は、移動局が選択されたピコセルの近くにある時を識別するために、格納されている位置測定隣接リストおよび測定結果を移動局が使用することができるようにすることである。開示された実施例は、ネットワーク構成全体が変わった場合でも、強靭なピコセル・エリア検出を提供する。開示された実施例は、選択されたピコセルへの近接を識別する仕事を移動局に委任するので、ネットワーク側での複雑さおよびシグナリング・オーバヘッドを低減することによりコスト節減を提供する。さらに、時間の量を制限することにより、移動局は特定のピコセルを探索することに時間を費やし、電力消費量が低減され、電池寿命が延ばされる。開示された実施例にとっての他の利点は、例えば、セルコード再使用のために、そうでなければ生じる可能性がある、不正確なピコセル識別の可能性を低減することである。
【００２７】
前述の説明は、本来限定的ではなく例示的である。本発明の本質から必ずしも逸脱しない、開示された実施例に対する変形形態および変更形態が、当業者には明らかになり得る。本発明に与えられる法的保護の範囲は、添付の特許請求の範囲によってのみ決定されることができる。
【図１】
2010514360.tif 000003
【図２】
2010514360.tif 000004
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
通信方法であって、
位置測定隣接リストを格納するステップと、
現在の隣接リストを受信するステップと、
前記位置測定隣接リストは、選択されたピコセルの通信範囲内にある移動局に対応しており、
前記移動局が前記ピコセルの通信範囲内にあることを示すのに十分に前記現在の隣接リストが前記位置測定隣接リストに対応するかどうかを判定するステップと
前記現在の隣接リストが前記位置測定隣接リストに十分対応にしている場合に、前記ピコセルへのハンドオーバを開始するための、前記ピコセルに関する少なくとも１つの測定を行うステップと、
を含む方法。
【請求項２】
前記選択されたピコセルとの通信リンクを確立するステップと、
前記確立された通信リンクの時間に関連する隣接リストを判定するステップと、
前記位置測定隣接リストを格納するステップと
を含む請求項１に記載の方法。
【請求項３】
前記位置測定隣接リスト内の複数のセルのそれぞれに関連する電力測定値を格納するステップと、
前記現在の隣接リスト内にある前記複数のセルのうちの少なくともいくつかに関連する現在の電力測定値を判定するステップと、
前記現在の電力測定値が前記格納されている電力測定値に対応するかどうかを判定するステップと
を含む請求項１に記載の方法。
【請求項４】
前記現在の隣接リストが前記位置測定隣接リストに十分に対応すると判定することに応答して前記ピコセルのセルコードの測定を行うステップを含む請求項１に記載の方法。
【請求項５】
前記ピコセルを判定するステップと、
前記ピコセルを前記移動局に現在サービスを提供している基地局に報告するステップと、
前記ピコセルを十分に検出することに応答して、現在サービスを提供している基地局から前記ピコセルにハンドオーバするステップと
を含む請求項４に記載の方法。
【請求項６】
前記位置測定隣接リストと前記現在の隣接リストとの間の対応の量を判定するステップと、
前記対応の量が、前記移動局が前記ピコセルの前記通信範囲内あるという表示として、閾値を超えるかどうかを判定するステップと
を含む請求項１に記載の方法。
【請求項７】
前記ピコセルとの新しい通信リンクを確立するとすぐ、前記格納されている判定された隣接リストを更新するステップを備える、請求項１に記載の方法。
【請求項８】
無線通信移動局装置であって、
選択されたピコセルの通信範囲内にある前記移動局に対応する位置測定隣接リストを含むストレージと、
現在の隣接リストを受信するためのトランシーバと、
前記移動局が前記ピコセルの通信範囲内にあることを示すのに十分に前記現在の隣接リストが前記位置測定隣接リストに対応するかどうかを判定するように構成された検出モジュールと
を備え、
前記移動局装置は、現在の隣接リストが前記位置測定隣接リストに十分に対応している場合に、前記ピコセルへのハンドオーバを開始するための前記ピコセルに関する少なくとも１つの測定を行うよう構成されている装置。
【請求項９】
前記ストレージが前記位置測定隣接リスト内の複数のセルのそれぞれに関連する電力測定値を含み、
前記検出モジュールが、前記現在の隣接リスト内にある前記複数のセルのうちの少なくともいくつかに関連する現在の電力測定値を判定し、前記現在の電力測定値が前記格納されている電力測定値に対応するかどうかを判定するように構成される、
請求項８に記載の装置。
【国際調査報告】
2010514360.tif 000005
2010514360.tif 000006
2010514360.tif 000007